(57)【要約】エレベータ診断装置とエレベータ制御装置との間の通信を提供する無線光インタフェースが記載される。本インタフェースは、診断装置に接続された第１の光送信器／受信器素子と、エレベータ制御システムに接続された第２の光送信器／受信器素子とを備え、第１および第２の素子は互いに光通信する。第１および第２の光送信器／受信器素子はそれぞれ、電子データフォーマットと光データフォーマットとの間で相互変換を行うフォトトランジスタ／発光ダイオード対およびその関連回路を含む。【選択図】図２
2004515428.tif 000002
【特許請求の範囲】
【請求項１】
エレベータ診断装置とエレベータ制御装置との間の通信を提供する光インタフェースデバイスであって、
前記診断装置に接続された第１の光送信器／受信器素子と、
前記エレベータ制御システムに接続された、前記第１の素子と光通信する第２の光送信器／受信器素子と
を備えるデバイス。
【請求項２】
前記第１および第２の光送信器／受信器素子のそれぞれは、フォトトランジスタ／発光ダイオード対を含む、請求項１に記載の光インタフェースデバイス。
【請求項３】
前記第１および第２の送信器／受信器素子間で伝達されるデータを暗号化する暗号化デバイスをさらに備える、請求項２に記載の光インタフェースデバイス。
【請求項４】
前記第１および第２の光送信器／受信器素子は、赤外光の形態でのデータの伝達を提供する、請求項３に記載の光インタフェースデバイス。
【請求項５】
前記第１および第２の光送信器／受信器素子は、双方向通信を提供する、請求項４に記載の光インタフェースデバイス。
【請求項６】
前記第１の光送信器／受信器素子は、吸着キャップに配置され、前記第２の光送信器／受信器素子は、コントローラに接続された光ポートに配置され、前記吸着キャップは、前記光ポートと結合して前記第１および第２の送信器／受信器素子を位置合わせする、請求項５に記載の光インタフェースデバイス。
【請求項７】
前記光ポートは、エレベータ停止階の（ｓｅｒｖｉｃｅｄ ｂｙ ｔｈｅ ｅｌｅｖａｔｏｒ）通路に配置される、請求項６に記載の光インタフェースデバイス。
【請求項８】
前記光ポートは、前記通路の押しボタンステーションまたは位置表示器内に配置される、請求項７に記載の光インタフェースデバイス。
【発明の詳細な説明】
【０００１】
［発明の背景］
１．発明の分野
本発明は、包括的には、エレベータシステムおよびかかるシステムの制御ユニットと通信するデバイスに関する。特に、本発明は、エレベータ制御ユニットとの改善された通信を提供するセキュアな光インタフェースデバイスに関する。本デバイスは、例えば、コントローラとエレベータ保守職員が用いる診断ツール（例えば、診断ソフトウェアがロードされたラップトップコンピュータ）との間の改善されたリンクを提供する。光インタフェースにより提供される通信リンクは、既存の通信デバイスよりも安全かつセキュアである。
【０００２】
２．関連技術の説明
現在のエレベータ制御システムは、当業界において標準であるデータインタフェースを用いる。エレベータ制御システムで通常用いられるインタフェースは、ＲＳ２３２またはＲＳ４８５接続等の電気インタフェースである。従来の機械室を伴わずに設置される新しい種類のエレベータが市場に出ている。これら機械室のないエレベータは、エレベータの昇降路内、すなわちクロゼット（ｃｌｏｓｅｔ：収納庫）内に配置された制御装置を有する。エレベータシステムにログオンするためには、エレベータ保守職員は、制御装置に近づき、従来のインタフェースを介して必要な診断装置（通常はラップトップコンピュータ）を制御装置に接続しなければならない。これは困難かつ危険であり得る。したがって、エレベータ診断装置を制御装置に接続する改善されたデバイスを提供することが望ましいであろう。
【０００３】
［発明の概要］
上記の目的は、エレベータ診断装置とエレベータ制御装置との間の通信を提供する光インタフェースデバイスによって達成される。本インタフェースデバイスは、診断装置に接続された第１の光送信器／受信器素子と、エレベータ制御システムに接続された第２の光送信器／受信器素子とを備える。第１および第２の素子は、互いに光通信する。
【０００４】
上記光送信器／受信器素子はそれぞれ、電子データから光データへの変換およびその逆の変換を行なうフォトトランジスタ／発光ダイオード対およびその関連回路を含む。フォトトランジスタ／発光ダイオード対は、光の形態で、好ましくは赤外光の形態で、データを伝達する。第１の素子と第２の素子との間で転送されるデータは、暗号化デバイスにより暗号化されてさらなるセキュリティを提供し得る。光インタフェースデバイスは、送信器／受信器素子間の光データの双方向伝送を提供する。第１の素子は、診断装置に接続された標準ケーブルの端部に取り付けられた吸着キャップに配置され得る。第２の光送信器／受信器素子は、コントローラに接続された光ポートに配置される。この場合、第１の素子の吸着キャップは、第１および第２の送信器／受信器素子を位置合わせするために、光ポート上に配置されて光ポートと結合し得る。光ポートは、エレベータコントロールのパネル上に配置され得るか、あるいはエレベータ停止階の通路に、例えば、通路にある押しボタンステーションまたは位置表示器内等に配置され得る。
【０００５】
本発明が提供するインタフェースは無線である。２つの送信器／受信器素子間には実際の物理的接続は必要ない。光無線インタフェースは、妨害およびハッカーからのさらなるレベルの防護を提供する。無線インタフェースではまた、電磁妨害および静電気放電が発生しない。
【０００６】
［発明の詳細な説明］
同じ参照番号が同じ部分を示す図面を参照すると、図１は、エレベータ診断ソフトウェアを含むラップトップポータブルコンピュータ３を示す。標準ケーブル７が、上記ラップトップを第１の送信器／受信器素子１０に接続する。第１の素子１０は、フォトトランジスタ／発光ダイオード対１４およびその関連回路を含み（図１Ｂのブラックボックスを参照）、電子データから光フォーマットへ、または光から電子フォーマットへの変換を行なう。好ましい実施形態では、データは第１および第２の素子にわたって赤外光として伝送される。
【０００７】
図２は、エレベータコントローラ１８のパネル上の光ポート１５に接続された第１の送信器／受信器素子１０を備えるラップトップ３を示す。第２の送信器／受信器素子２１が光ポート１５に配置される。第１の素子と同様に、第２の素子は、光および電子データの変換を行なうフォトトランジスタ／発光ダイオード対２７およびその関連回路を含む。第１の送信器／受信器素子１０に取り付けられた吸着キャップ１２が、第１の素子１０を光ポート１５に結合し、それによって第１および第２の素子は互いに位置合わせされる。かかる位置合わせは、光データの効率的な転送を確実にするために必要とされる。
【０００８】
図３は、本発明の別の実施形態であり、建物のエレベータ停止階の通路に配置されたエレベータの押しボタンパネル３１に、光ポート１５が配置されている。この場合、第１の送信器／受信器素子１０は、光ポート１５上に固定され、吸着キャップ１２によりそこに連結される。
【０００９】
第１および第２の送信器／受信器素子間の無線通信インタフェースは、特有の利点を有する。第１に、２つの素子間には物理的接続が必要ない。これにより、保守員が診断装置をエレベータに接続する際の感電（ｓｈｏｃｋ）の危険が、排除されないにしても低減される。本デバイスはまた、データの転送の際により高いセキュリティを提供する。かかるセキュリティは、標準的なデバイス、例えばインライン鍵暗号化デバイス等を介してデータが暗号化される場合、特に強化される。
【図面の簡単な説明】
【図１Ａ】
第１の光送信器／受信器素子が取り付けられた、エレベータ診断ソフトウェアを含むラップトップコンピュータの斜視図である。
【図１Ｂ】
第１の送信器／受信器素子の断面である。
【図２】
本発明の第１の実施形態の斜視図である。
【図３】
本発明の第２の実施形態の斜視図である。
【国際公開パンフレット】
2004515428.tif 000003
2004515428.tif 000004
2004515428.tif 000005
2004515428.tif 000006
2004515428.tif 000007
2004515428.tif 000008
2004515428.tif 000009
2004515428.tif 000010
【国際公開パンフレット（コレクトバージョン）】
2004515428.tif 000011
【手続補正書】
【提出日】平成15年3月24日(2003.3.24)
【手続補正１】
【補正対象書類名】明細書
【補正対象項目名】特許請求の範囲
【補正方法】変更
【補正の内容】
【特許請求の範囲】
【請求項１】
エレベータ診断装置とエレベータ制御装置との間の通信を提供する光インタフェースデバイスであって、
前記診断装置に接続された第１の光送信器／受信器素子と、
前記エレベータ制御システムに接続された、前記第１の素子と光通信する第２の光送信器／受信器素子と
を備え、該第１および第２の光送信器／受信器素子は、エレベータ診断装置とエレベータ制御装置との間の双方向通信を提供し、該第１および第２の光送信器／受信器素子間には実体的接続がなく、該第１および第２の光送信器／受信器素子のそれぞれは、フォトトランジスタ／発光ダイオード対を含むことを特徴とするデバイス。
【請求項２】
前記第１および第２の送信器／受信器素子間で伝達されるデータを暗号化する暗号化デバイスをさらに備える、請求項１に記載の光インタフェースデバイス。
【請求項３】
前記第１および第２の光送信器／受信器素子は、赤外光の形態でのデータの伝達を提供する、請求項２に記載の光インタフェースデバイス。
【請求項４】
前記第１の光送信器／受信器素子は、吸着キャップに配置され、前記第２の光送信器／受信器素子は、コントローラに接続された光ポートに配置され、前記吸着キャップは、前記光ポートと結合して前記第１および第２の送信器／受信器素子を位置合わせする、請求項３に記載の光インタフェースデバイス。
【請求項５】
前記光ポートは、エレベータ停止階の（ｓｅｒｖｉｃｅｄ ｂｙ ｔｈｅ ｅｌｅｖａｔｏｒ）通路に配置される、請求項４に記載の光インタフェースデバイス。
【請求項６】
前記光ポートは、前記通路の押しボタンステーションまたは位置表示器内に配置される、請求項５に記載の光インタフェースデバイス。
【手続補正２】
【補正対象書類名】明細書
【補正対象項目名】０００２
【補正方法】変更
【補正の内容】
【０００２】
２．関連技術の説明
現在のエレベータ制御システムは、当業界において標準であるデータインタフェースを用いる。エレベータ制御システムで通常用いられるインタフェースは、ＲＳ２３２またはＲＳ４８５接続等の電気インタフェースである。従来の機械室を伴わずに設置される新しい種類のエレベータが市場に出ている。これら機械室のないエレベータは、エレベータの昇降路内、すなわちクロゼット（ｃｌｏｓｅｔ：収納庫）内に配置された制御装置を有する。エレベータシステムにログオンするためには、エレベータ保守職員は、制御装置に近づき、従来のインタフェースを介して必要な診断装置（通常はラップトップコンピュータ）を制御装置に接続しなければならない。これは困難かつ危険であり得る。
特許文献である英国特許第２，１２２，０４４号および欧州特許第８２１，５０２号は、赤外線信号を送受信する装置の態様を論考しているが、エレベータの用途に適した解決策は提供していない。
したがって、エレベータ診断装置を制御装置に接続する改善されたデバイスを提供することが望ましいであろう。




【国際調査報告】
2004515428.tif 000012
2004515428.tif 000013